(57)【特許請求の範囲】
【請求項１】
スラブの端部に取り付けられると共に足場を支持する足場支持治具において、
角パイプにて形成されると共に、前記スラブの外側に突出した第１位置と、略立設される第２位置とに揺動自在に構成された足場支持フレームと、
該スラブの上面に形成された溝部に当接される状態に配置される上側当接部材と、
該上側当接部材が設けられると共に、角パイプで形成されて前記足場支持フレームの内部に摺動自在な状態で配置される上側フレームと、
前記足場支持フレームに連結されると共に、該足場支持フレームが前記スラブの外側に突出した状態のときに前記スラブの下面に当接される下側当接部材と、
前記足場支持フレームに形成される、足場を支持する足場支持部と、
を備えたことを特徴とする足場支持治具。
【請求項２】
前記下側当接部材と前記足場支持フレームとは下側フレームを介して連結された、
ことを特徴とする請求項１に記載の足場支持治具。
【請求項３】
前記上側当接部材及び前記下側当接部材の少なくとも一方は、前記スラブから遠ざかる待避位置と、前記スラブに当接する当接位置とを取り得るように位置調整可能に構成されている、
ことを特徴とする請求項１又は２に記載の足場支持治具。
【請求項４】
前記上側当接部材及び前記下側当接部材の少なくとも一方は、該当接部材が前記スラブから遠ざかる待避位置と、該当接部材が前記スラブに当接する当接位置とを選択的に取り得る支持ベースに支持されている、
請求項１又は２に記載の足場支持治具。
【請求項５】
前記支持ベースは、前記スラブに近接する位置と、前記スラブから遠ざかる位置とを選択的に取り得るように回転可能に構成されている、
ことを特徴とする請求項４に記載の足場支持治具。
【請求項６】
前記スラブの表面から突出するアンカー部材に係合されるアンカー部材係合部、
を備えたことを特徴とする請求項１乃至５のいずれか１項に記載の足場支持治具。
【発明の詳細な説明】
【技術分野】
【０００１】
本発明は、スラブの端部に取り付けられた状態で足場を支持する足場支持治具に関する。
【背景技術】
【０００２】
従来、建物の所定箇所に足場支持治具を固定すると共に、該治具に組み足場を支持させるようにした構成が提案されている（例えば、特許文献１参照）。
【０００３】
図７は、足場支持治具の取り付け状態の一例を示す断面図である。図中の符号５００は、各階に形成されたバルコニを示し、符号５０１はバルコニ５００の床部を示し、符号５０２はバルコニ５００の立壁部を示している。そして、符号５０３は、前記立壁部５０２の上端部を挟持するように配置された治具を示しており、該治具５０３には組足場５０４が支持されている。
【特許文献１】特開２００３−２０６６２７公報
【発明の開示】
【発明が解決しようとする課題】
【０００４】
ところで、建物の構造は様々であって、上述のようなバルコニ立壁部５０２が形成されていない構造のものもあり得る。そのような建物においては上述の足場支持治具５０３は使用できなかった。
【０００５】
本発明は、スラブ端部に取り付けることのできる足場支持治具を提供することを目的とするものである。
【課題を解決するための手段】
【０００６】
請求項１に係る発明は、図４及び図５に例示するものであって、スラブ（１）の端部に取り付けられると共に足場（図２の符号４参照）を支持する足場支持治具（２０３）において、
角パイプにて形成されると共に、前記スラブ（１）の外側に突出した第１位置（図４の符号２３２Ａ参照）と、略立設される第２位置（図５の符号２３２Ｂ参照）とに揺動自在に構成された足場支持フレーム（２３２）と、
該スラブの上面（１ｕ）に形成された溝部（２）に当接される状態に配置される上側当接部材（１３０）と、
該上側当接部材（１３０）が設けられると共に、角パイプで形成されて前記足場支持フレーム（２３２）の内部に摺動自在な状態で配置される上側フレーム（２３３）と、
前記足場支持フレーム（２３２）に連結されると共に、該足場支持フレーム（２３２）が前記スラブ（１）の外側に突出した状態のときに前記スラブの下面（１ｄ）に当接される下側当接部材（１３１）と、
前記足場支持フレーム（２３２）に形成される、足場を支持する足場支持部（３２０）と、を備えたことを特徴とする。
【０００７】
請求項２に係る発明は、請求項１に係る発明において、前記下側当接部材（３１）と前記足場支持フレーム（３２）とは下側フレーム（３４）を介して連結されたことを特徴とする。
【０００８】
請求項３に係る発明は、請求項１又は２に係る発明において、前記上側当接部材（３０）及び前記下側当接部材（３１）の少なくとも一方は、前記スラブ（１）から遠ざかる待避位置と、前記スラブ（１）に当接する当接位置とを取り得るように位置調整可能に構成されていることを特徴とする。
【０００９】
請求項４に係る発明は、請求項１又は２に係る発明において、前記上側当接部材及び前記下側当接部材の少なくとも一方（図３の符号１３０参照）は、該当接部材が前記スラブ（１）から遠ざかる待避位置（１３０Ａ）と、該当接部材が前記スラブ（１）に当接する当接位置（１３０Ｂ）とを選択的に取り得る支持ベース（１３７）に支持されていることを特徴とする。
【００１０】
請求項５に係る発明は、請求項４に係る発明において、前記支持ベース（１３７）は、前記スラブ（１）に近接する位置（図３(b) の符号１３７Ｂ参照）と、前記スラブ（１）から遠ざかる位置（図３(b) の符号１３７Ａ参照）とを選択的に取り得るように回転可能に構成されていることを特徴とする。
【００１２】
請求項６に係る発明は、請求項１乃至５のいずれか１項に記載の発明において、前記スラブ（１）の表面から突出するアンカー部材（５）に係合されるアンカー部材係合部（図３(b) の符号１３８、及び図４の符号２３８参照）を備えたことを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１、２及び７に係る発明によれば、バルコニ立壁部の無い部分であっても、足場支持治具を取り付けることができる。
【００１５】
請求項３乃至５に係る発明によれば、足場支持治具の取り付け／取り外し時において、治具とスラブとの干渉を回避することができる。
【００１６】
請求項６に係る発明によれば、足場支持フレームを第２位置にすることにより、該足場支持フレームを持ちながら安全に治具取り付けを行うことができる。
【発明を実施するための最良の形態】
【００１７】
以下、本発明を実施するための最良の形態について、図１乃至図６を参照して説明する。ここで、図１(a) は、本発明に係る足場支持治具の構成の一例を示す側面図であり、同図(b) は、その平面図である。また、図２は、図１に示す足場支持治具を建物に取り付けた様子を示す側断面図であり、図３(a)
は、本発明に係る足場支持治具の構成の他の例を示す側面図であり、同図(b) は、その平面図である。さらに、図４は、本発明に係る足場支持治具の構成のさらに他の例を示す側面図であり、図５は、足場支持フレームを立設させた状態を示す側面図である。また、図６(a)
は、図４の平面図であり、図６(b) は、その拡大図である。
【００１８】
図１(a) の符号１は建物のスラブを示し、符号２は、前記スラブ１の上面１ｕに形成された溝部を示す。
【００１９】
本発明に係る足場支持治具は、図１(a) 及び図２に符号３で例示するものであって、スラブ１の端部に取り付けられると共に足場４を支持するように構成されている。該足場支持治具３は、前記溝部２に当接される状態に配置される上側当接部材３０と、前記スラブ１の下面１ｄに当接される状態に配置される下側当接部材３１と、これらの当接部材３０，３１に連結されることに基づき前記スラブ１の外側に突出した状態に配置されるフレーム３２と、を備えている。このフレーム３２には足場支持部３２０が形成されていて、足場４を支持するように構成されている（本明細書において、このフレーム３２を“足場支持フレーム”と称する。）。
【００２０】
なお、図１(a) に示す足場支持治具３においては、前記上側当接部材３０と前記足場支持フレーム３２とは、他の構成部材（以下、“上側フレーム”とする）３３を介して間接的に連結されているが、もちろんこれに限られるものではなく、前記上側当接部材３０と前記足場支持フレーム３２とを直接連結するようにしても良い。また、該足場支持治具３においては、前記下側当接部材３１と前記足場支持フレーム３２とは、他の構成部材（以下、“下側フレーム”とする）３４等を介して間接的に連結されているが、もちろんこれに限られるものではなく、前記下側当接部材３１と前記足場支持フレーム３２とを直接連結するようにしても良い。
【００２１】
一方、上側当接部材及び下側当接部材の少なくとも一方は、位置調整可能に構成されており、具体的には、
・  本発明に係る足場支持治具をスラブ１に取り付けたりスラブ１から取り外したりする際に該スラブ１と干渉しない待避位置と、
・  本発明に係る足場支持治具がスラブ１に取り付けられている状態で該スラブ１の所定位置に当接される当接位置と、
を選択的に取り得るように構成されている。これにより、本発明に係る足場支持治具をスラブ１に取り付けたりスラブ１から取り外したりする際に各当接部材とスラブ１との干渉を回避することができる。
【００２２】
上述のように当接部材を位置調整可能に構成する方法としては、
(1)
当接部材自体を位置調整可能に構成する方法
(2)
当接部材自体を位置調整可能に構成するのではなく、位置調整可能な支持ベースに当接部材を支持させておき、該支持ベースにより当接部材の位置を調整できるように構成する方法
を挙げることができる。図１等に示す当接部材３０，３１は、上記(1) の一例を示すものであって、当接部材３０，３１をボルトで構成しておいて突出量が調整可能となるように構成されている。一方、図３(a) は、上記(2) の一例を示すものであって、符号１３７に示す支持ベースは、スラブ上面１ｕに平行な軸Ｃの周りに回転可能に構成されていて（つまり、スラブ１に近接する位置（符号１３８Ｂで示す位置）と、スラブ１から遠ざかる位置（符号１３７Ａで示す位置）とを選択的に取り得るように回転可能に構成されていて）、当接部材１３０を待避位置１３０Ａ（つまり、当接部材１３０がスラブ１と干渉しない位置）と当接位置１３０Ｂ（つまり、当接部材１３０が溝部２に当接される位置）とに移動できるように構成されている。したがって、足場支持治具１０３をスラブ１に取り付けたりスラブ１から取り外したりする際には支持ベース１３７を符号１３７Ａに示す位置に回転させておいて当接部材１３０とスラブ１との干渉を回避することができる。
【００２３】
なお、図３(a) (b) に示す支持ベース１３７は回転可能に構成されているが、もちろんこれに限られるものではなく、回転以外の移動態様であっても良い。また、図１等に示す当接部材３０，３１はボルトであるが、もちろんこれに限られるものではなく、他の形状であっても良い。
【００２４】
一方、足場支持フレームは、前記スラブ１に取り付けられた状態で該スラブ１の外側に突出して足場支持が可能な第１位置（図４の符号２３２Ａ参照）と、該スラブに取り付けられた状態で略立設される第２位置（図５の符号２３２Ｂ参照）とに揺動自在に構成しておくと良い。この場合、上側フレーム２３３と足場支持フレーム２３２とは、揺動可能となるようにヒンジＨにより結合しておくと良い。また、図６(b) に詳示するように、足場支持フレーム２３２の側に位置決めブロックＪ１を形成すると共に、上側フレーム２３３の側に位置決めブロックＪ２を形成しておいて、これらのブロックＪ１，Ｊ２により前記第１位置を規定できるようにしておくと良い。これらのブロックＪ１，Ｊ２は、図６(b) に示すように、上側フレーム２３３及び足場支持フレーム２３２よりも幅方向（該図では上下方向）に突出した位置で当接するようにしておくと良い。
【００２５】
また一方、前記スラブ１の表面から突出するように該スラブ１にアンカー部材（図３(a) 、図４、図５の符号５参照）を支持させておき、前記足場支持治具１０３，２０３には、該アンカー部材５に係合されるアンカー部材係合部１３８，２３８を形成しておくと良い。このようなアンカー部材５と足場支持治具１０３，２０３とを連結した場合には、該治具１０３，２０３とスラブ１との連結強度を高めることができる。
【００２６】
ところで、スラブにおける溝部２は、図３(a) に詳示するように、一般に、スラブ端部側に立設された外壁部２ａと、該外壁部２ａに対向するように立設された内壁部２ｂと、底部２ｃと、によって構成されているが、上述した上側当接部材３０，１３０は、前記外壁部２ａに当接されるように構成しておくと良い。
【実施例１】
【００２７】
本実施例では、図１及び図２に示す足場支持治具３を作製した。
【００２８】
本実施例に係る足場支持治具３は、凹溝部２を端部上面に有するスラブ１に使用されるものである。
【００２９】
本実施例に係る足場支持治具３は、角パイプにて形成した足場支持フレーム部材３２を備えて、その内部には、同じく角パイプにて形成した上側横フレーム部材（上側フレーム）３３を摺動自在な状態に配置した。この足場支持フレーム部材３２の端部付近（＋ｘ方向の端部付近）には２つの孔部を形成し、上側横フレーム部材３３には６つの孔部３３ａを形成していて、２本のボルト３３ｂの挿入位置を調整することにより上側横フレーム部材３３の突出長（＋ｘ側への突出長）を変更できるようにした。
【００３０】
また、上側横フレーム部材３３の端部（＋ｘ側の端部）からスラブ側（−ｙ側）には、断面が略コ字形のみぞ形鋼部材３７を突設し、該みぞ形鋼部材３７からスラブ外側（−ｘ側）にはボルト部材（上側当接部材）３０を突設させた。このボルト部材３０は、みぞ形鋼部材３７に螺合させておいて、突出量が調整できるようにした。
【００３１】
さらに、上述した足場支持フレーム部材３２の先端部（−ｘ側の端部）には、２つの足場支持ブラケット（足場支持部）３２０を取り付けた。各足場支持ブラケット３２０は、足場支持フレーム部材３２に外嵌される角パイプ状のベース部３２０Ａと、該ベース部３２０Ａを足場支持フレーム部材３２の所定位置に固定するための固定用ボルト３２０Ｂと、前記ベース部３２０Ａの上面に突設されたジョイント部３２０Ｃとにより形成した。このジョイント部３２０には、図２に示すように組足場４を取り付けた。
【００３２】
一方、足場支持フレーム部材３２から下方（−ｙ方向）には縦フレーム部材３６を垂下させ、これらのフレーム部材３２，３６の間には斜めフレーム部材３５を設けた。
【００３３】
さらに、この縦フレーム部材３６には、上側横フレーム部材３３と略平行な位置関係となるように下側横フレーム部材（下側フレーム）３４を突設させ、該下側横フレーム部材３４から上方（＋ｙ方向）には、ボルト部材（下側当接部材）３１を２本突設させた。各ボルト部材３１，３１は、前記下側横フレーム部材３４に螺合させておいて、その突出量を調整できるように構成した。
【００３４】
組足場４から足場支持治具３には荷重Ｐが作用するが、それに伴って、スラブ１から足場支持治具３には抗力Ｒ１，Ｒ２，Ｒ３等が作用するので、組足場４が支持されることとなる。
【００３５】
なお、上述した足場支持治具３は、各ボルト部材３０，３１を回してスラブ１から後退させることにより、スラブ１から取り外すことができる。
【図面の簡単な説明】
【００３６】
【図１】図１(a) は、本発明に係る足場支持治具の構成の一例を示す側面図であり、同図(b) は、その平面図である。
【図２】図２は、図１に示す足場支持治具を建物に取り付けた様子を示す側断面図である。
【図３】図３(a) は、本発明に係る足場支持治具の構成の他の例を示す側面図であり、同図(b) は、その平面図である。
【図４】図４は、本発明に係る足場支持治具の構成のさらに他の例を示す側面図である。
【図５】図５は、足場支持フレームを立設させた状態を示す側面図である。
【図６】図６(a) は、図４の平面図であり、図６(b) は、その拡大図である。
【図７】図７は、足場支持治具の取り付け状態の一例を示す断面図である。
【符号の説明】
【００３７】
１            スラブ
１ｄ          スラブ下面
１ｕ          スラブ上面
２            溝部
３            足場支持治具
４            足場
５            アンカー部材
３０          上側当接部材
３１          下側当接部材
３２          足場支持フレーム
３３          上側フレーム
３４          下側フレーム
１０３        足場支持治具
１３０        上側当接部材
１３０Ａ      待避位置
１３０Ｂ      当接位置
１３７        支持ベース
１３８        アンカー部材係合部
２０３        足場支持治具
２３２        足場支持フレーム
２３８        アンカー部材係合部
３２０        足場支持部
【図１】
0004798776.tif 000002
【図２】
0004798776.tif 000003
【図３】
0004798776.tif 000004
【図４】
0004798776.tif 000005
【図５】
0004798776.tif 000006
【図６】
0004798776.tif 000007
【図７】
0004798776.tif 000008